(57)【要約】【課題】手間をかけることなく、かつ、ごみを生じさせずに使用する。【解決手段】前面片１１と後面片１２とからなる封筒本体１０と、前面片１１に連接した封用蓋片２０とを有し、前面片１１に連接し、折り部１３ｂにて折り畳まれた場合に後面片１２に対向する面に粘着剤２６ａが塗布された返信用フラップ部２１と、返信用フラップ部２１に切り離し可能に連接し、一方の面に粘着剤２７が塗布された往信用フラップ部２２と、一方の面に粘着剤２６ａのみが貼着及び剥離可能な粘着剤２６ｂが塗布され、他方の面に返信用宛先情報２５が表示され、返信用フラップ部２１に剥離可能に貼着された宛名ラベル部２３とを有し、封筒本体１０は、往信用宛先情報１５が表示された領域に粘着剤２６ａが塗布されるとともに、フラップ部２０が折り部１３ｂにて折り畳まれた場合に返信用フラップ部２１に対向する領域に粘着剤２７ｂが塗布されている。【選択図】図１
2010168054.tif 000002
【特許請求の範囲】
【請求項１】
第１片と第２片とによって開口部を具備する袋形状となる封筒本体と、前記第１片の前記開口部側の辺部に折り部を介して連接した封用蓋片とを有し、前記封筒本体または前記封用蓋片に第１の宛先情報表示部が設けられてなる封筒において、
前記封用蓋片は、
前記第１片に連接し、前記折り部にて折り畳まれた場合に前記第２片に対向する面に第１の貼着手段からなる第１の貼着層が積層された第１のシート部と、
前記第１のシート部に切り離し可能に連接し、前記第１の貼着層と同一平面上に貼着構造を具備する第２のシート部と、
一方の面に、前記第１の貼着手段のみが貼着及び剥離可能な第２の貼着手段からなる第２の貼着層が積層され、他方の面に第２の宛先情報表示部が設けられ、前記第１の貼着手段と前記第２の貼着手段とによって前記第１のシート部に剥離可能に貼着された宛名ラベル部とを有し、
前記第１の宛先情報表示部には前記第１の貼着層が積層され、
前記封筒本体は、前記封用蓋片が前記折り部にて折り畳まれた場合に前記第１のシート部に対向する領域に前記第２の貼着層が積層されていることを特徴とする封筒。
【発明の詳細な説明】
【技術分野】
【０００１】
本発明は、封用蓋片を有する封筒に関し、特に、複数回使用することができる封筒に関する。
【背景技術】
【０００２】
従来より、印刷物等の書類や手紙等を送付する場合に、この書類や手紙等を封入する封筒が用いられている。このような封筒は、２枚のシートによって袋形状の封筒本体が構成されるとともに、２枚のシートのうち一方のシートに連接した封用蓋片を有し、袋形状の封筒本体に、上述したような書類や手紙等の内容物が封入された後、封用蓋片が折り畳まれて封緘されることになる。
【０００３】
近年、このように書類や手紙等を封入、封緘する封筒において、往信用のみならず返信用にも使用するといったように複数回使用することができる封筒が考えられている。例えば、封用蓋片にジッパー部、並びに粘着剤が塗布されてなる２つの封緘部を設けておき、往信時には、２つの封緘部のうち一方の封緘部に剥離紙を貼着しておいて他方の封緘部を用いて封緘し、返信時には、往信時に用いた封緘部をジッパー部によって封用蓋片から切り離するとともに、封緘部から剥離紙を剥離し、この封緘部によって封緘する封筒が特許文献１に開示されている。
【０００４】
このように、２つの封緘部を有しながらも往信時に２つの封緘部の一方に剥離紙を貼着しておくことにより、返信時において、利用者が自分で封筒に糊を塗布したり、再湿糊に水分を付着させたりすることなく、封筒を封緘することができる。
【先行技術文献】
【特許文献】
【０００５】
【特許文献１】意匠登録第１３４４１２０号公報
【発明の概要】
【発明が解決しようとする課題】
【０００６】
しかしながら、上述したような封筒においては、返信時において、剥離紙が貼着されていた封緘部を使用するためにその封緘部から剥離紙を剥離することになるため、その剥離紙によるごみが生じてしまうという問題点がある。
【０００７】
また、返信時に、返信者が封筒に表示された往信用の宛先情報を何らかの手段で消去するとともに、返信時の宛先情報を封筒に記入する必要があり、そのための手間がかかってしまうという問題点がある。また、この手間を回避するために、返信時の宛先情報が表示されたラベルを封筒に封入しておき、返信者が、このラベルを往信用の宛先情報が表示された領域に貼着することも考えられるが、その場合においても、そのラベルには剥離紙が貼着されていることとなるため、ラベル貼着時に剥離紙によるごみが生じてしまうという問題点がある。
【０００８】
本発明は、上述したような従来の技術が有する問題点に鑑みてなされたものであって、往信用のみならず返信用にも使用するといったように複数回使用することができる封筒において、二度目に使用する際に手間をかけることなく、かつ、ごみを生じさせずに使用することができる封筒を提供することを目的とする。
【課題を解決するための手段】
【０００９】
上記目的を達成するために本発明は、
第１片と第２片とによって開口部を具備する袋形状となる封筒本体と、前記第１片の前記開口部側の辺部に折り部を介して連接した封用蓋片とを有し、前記封筒本体または前記封用蓋片に第１の宛先情報表示部が設けられてなる封筒において、
前記封用蓋片は、
前記第１片に連接し、前記折り部にて折り畳まれた場合に前記第２片に対向する面に第１の貼着手段からなる第１の貼着層が積層された第１のシート部と、
前記第１のシート部に切り離し可能に連接し、前記第１の貼着層と同一平面上に貼着構造を具備する第２のシート部と、
一方の面に、前記第１の貼着手段のみが貼着及び剥離可能な第２の貼着手段からなる第２の貼着層が積層され、他方の面に第２の宛先情報表示部が設けられ、前記第１の貼着手段と前記第２の貼着手段とによって前記第１のシート部に剥離可能に貼着された宛名ラベル部とを有し、
前記第１の宛先情報表示部には前記第１の貼着層が積層され、
前記封筒本体は、前記封用蓋片が前記折り部にて折り畳まれた場合に前記第１のシート部に対向する領域に前記第２の貼着層が積層されていることを特徴とする。
【００１０】
上記のように構成された本発明においては、一度目の使用時には、封用蓋片の第１のシート部に宛名ラベル部が貼着された状態で、封用蓋片が折り部にて折り畳まれて第２のシート部の貼着構造によって封筒本体の第２片に貼着されて封緘され、封筒本体または封用蓋片に設けられた第１の宛先情報表示部に表示された第１の宛先情報に従って封筒が送付先に届けられる。封筒が送付先に届けられた後、封用蓋片の第１のシート部と第２のシート部とが切り離される。封用蓋片は第２のシート部の貼着構造によって封筒本体の第２片に貼着されているため、第１のシート部と第２のシート部とが切り離されると、封用蓋片の第１のシート部が第２片から離反し、封筒が開封される。この封筒を用いて返信する等、再度使用する場合は、まず、第２の宛先情報表示部が設けられた宛名ラベル部が第１のシート部から剥離される。第１のシート部と宛名ラベル部とは、互いにのみ貼着及び剥離が可能な第１の貼着手段と第２の貼着手段とによって剥離可能に貼着されているため、これらを互いに剥離することができる。第１のシート部から剥離された宛名ラベル部は、封筒本体または封用蓋片の第１の宛先情報表示部に貼着される。この第１の宛先情報表示部には、宛名ラベル部に積層された第２の貼着層を構成する第２の貼着手段のみが貼着可能な第１の貼着手段からなる第１の貼着層が積層されているため、宛名ラベル部をこの第１の宛先情報表示部に貼着することができる。それにより、一度目の送付先を示す第１の宛先情報が見えなくなる。また、宛名ラベル部が剥離された第１のシート部を折り部にて折り畳むと、この第１のシート部が対向する領域には、第１のシート部に積層された第１の貼着層を構成する第１の貼着手段のみが貼着可能な第２の貼着手段からなる第２の貼着層が積層されているため、第１のシート部を折り部にて折り畳んで封筒本体に貼着することができ、それにより、封筒が封緘される。
【発明の効果】
【００１１】
以上説明したように本発明においては、第１片と第２片とによって開口部を具備する袋形状となる封筒本体と、第１片の開口部側の辺部に折り部を介して連接した封用蓋片とを有し、封筒本体または封用蓋片に第１の宛先情報表示部が設けられてなる封筒において、封用蓋片が、第１片に連接し、折り部にて折り畳まれた場合に第２片に対向する面に第１の貼着手段からなる第１の貼着層が積層された第１のシート部と、第１のシート部に切り離し可能に連接し、第１の貼着層と同一平面上に貼着構造を具備する第２のシート部と、一方の面に、第１の貼着手段のみが貼着及び剥離可能な第２の貼着手段からなる第２の貼着層が積層され、他方の面に第２の宛先情報表示部が設けられ、第１の貼着手段と第２の貼着手段とによって第１のシート部に剥離可能に貼着された宛名ラベル部とを有し、第１の宛先情報表示部には第１の貼着層が積層され、封筒本体が、封用蓋片が折り部にて折り畳まれた場合に第１のシート部に対向する領域に第２の貼着層が積層されている構成としたため、二度目の使用時には、封用蓋片の第１のシートから宛名ラベル部を剥離し、封筒本体または封用蓋片の第１の宛先情報表示部に、この第１の宛先情報表示部に積層された第１の貼着層を構成する第１の貼着手段と宛名ラベル部に積層された第２の貼着層を構成する第２の貼着手段とによって宛名ラベル部を貼着するとともに、第１のシート部を折り部にて折り畳み、第１のシート部に積層された第１の貼着層を構成する第１の貼着手段と封筒本体に積層された第２の貼着層を構成する第２の貼着手段とによって第１のシート部を封筒本体に貼着して封筒を封緘することとなり、手間をかけることなく、かつ、ごみを生じさせずに使用することができる。
【図面の簡単な説明】
【００１２】
【図１】本発明の封筒の第１の実施の形態を示す図であり、（ａ）は封用蓋片を閉じていない状態における一方の面を示す図、（ｂ）は（ａ）に示したＡ−Ａ’断面図、（ｃ）は（ａ）に示したＢ−Ｂ’断面図、（ｄ）は（ａ）に示した宛名ラベル部及び剥離紙を剥離した状態を示す図、（ｅ）は（ａ）に示した宛名ラベル部の貼着面を示す図、（ｆ）は封用蓋片を閉じていない状態における他方の面を示す図である。
【図２】図１に示した往復封筒の使用方法を説明するための図である。
【図３】本発明の封筒の第２の実施の形態を示す図であり、（ａ）は封用蓋片を閉じていない状態における一方の面を示す図、（ｂ）は（ａ）に示したＡ−Ａ’断面図、（ｃ）は（ａ）に示したＢ−Ｂ’断面図、（ｄ）は（ａ）に示した宛名ラベル部及び剥離紙を剥離した状態を示す図、（ｅ）は（ａ）に示した宛名ラベル部の貼着面を示す図、（ｆ）は封用蓋片を閉じていない状態における他方の面を示す図である。
【図４】図３に示した往復封筒の使用方法を説明するための図である。
【発明を実施するための形態】
【００１３】
以下に、本発明の実施の形態について図面を参照して説明する。
【００１４】
（第１の実施の形態）
図１は、本発明の封筒の第１の実施の形態を示す図であり、（ａ）は封用蓋片を閉じていない状態における一方の面を示す図、（ｂ）は（ａ）に示したＡ−Ａ’断面図、（ｃ）は（ａ）に示したＢ−Ｂ’断面図、（ｄ）は（ａ）に示した宛名ラベル部２３及び剥離紙２４を剥離した状態を示す図、（ｅ）は（ａ）に示した宛名ラベル部２３の貼着面を示す図、（ｆ）は封用蓋片を閉じていない状態における他方の面を示す図である。
【００１５】
本形態は図１に示すように、紙やフィルム材料からなり、折り部１３ａを介して一辺どうしにて互いに連接した第１片である前面片１１と第２片である後面片１２とからなる封筒本体１０と、紙やフィルム材料からなり、前面片１１の折り部１３ａとは反対側の辺に設けられた折り部１３ｂを介して前面片１１と連接した封用蓋片であるフラップ部２０とから構成された往復封筒１であって、封筒本体１０が、前面片１１と後面片１２とが互いに対向するように折り部１３ａにて折り畳まれて折り部１３ａに隣接する２辺が互いに接着されることにより、折り部１３ａとは反対側の辺が、封入物が封入される開口部となる袋形状が形成されている。
【００１６】
フラップ部２０は、折り部１３ｂを介して前面片１１に連接した第１のシート部である返信用フラップ部２１と、返信用フラップ部２１の折り部１３ｂとは反対側にて連接した第２のシート部である往信用フラップ部２２と、返信用フラップ部２２の一方の面に剥離可能に貼着された宛名ラベル部２３とから構成されており、返信用フラップ部２１と往信用フラップ部２２とは、返信用フラップ部２１と往信用フラップ部２２との境界に貼着されたティアテープ３０によって切り離し可能となっている。
【００１７】
返信用フラップ部２１は図１（ｄ）に示すように、フラップ部２０が折り部１３ｂにて折り畳まれた場合に後面片１２に対向する面に、第１の貼着手段である粘着剤２６ａが塗布されることにより第１の貼着層が積層されている。
【００１８】
往信用フラップ部２２は図１（ｄ）に示すように、フラップ部２０が折り部１３ｂにて折り畳まれた場合に後面片１２に対向する面、すなわち、返信用フラップ部２１の粘着剤２６ａによる第１の貼着層と同一面上に、粘着剤２７が塗布されてなる貼着構造を有しており、この粘着剤２７が塗布された面に、一方の面に剥離剤２８が塗布されてなる剥離紙２４が剥離可能に貼着されている。
【００１９】
宛名ラベル部２３は、一方の面に、この往復封筒１の返信先の住所や氏名等からなる第２の宛先情報である返信用宛先情報２５が表示された第２の宛先情報表示部が設けられているとともに、他方の面に、図１（ｅ）に示すように、第２の貼着手段である粘着剤２６ｂが塗布されることにより第２の貼着層が積層されている。
【００２０】
また、後面片１２には、この往復封筒１の往信先の住所や氏名等からなる第１の宛先情報である往信用宛先情報１５が表示された第１の宛先情報表示部が設けられており、その第１の宛先情報表示部には、粘着剤２６ａが塗布されることにより第１の貼着層が積層されている。また、フラップ部２０が折り部１３ｂにて折り畳まれた場合に返信用フラップ部２１に対向する領域には、粘着剤２６ｂが塗布されることにより第２の貼着層が積層されている。
【００２１】
ここで、粘着剤２６ａ，２６ｂについて詳細に説明する。
【００２２】
粘着剤２６ａ，２６ｂは、自己粘着性を有する高分子ポリマー等の同一の材料からなり、手で押し付ける等といった通常の圧力で互いにのみ貼着及び剥離可能なものである。すなわち、粘着剤２６ａは、粘着剤２６ｂのみが貼着及び剥離可能なものであり、また、粘着剤２６ｂは粘着剤２６ａのみが貼着及び剥離可能なものであり、それにより、返信用フラップ部２１の粘着剤２６ａが塗布された面は、宛先ラベル部２３の粘着剤２６ｂが塗布された面及び後面片１２の粘着剤２６ｂが塗布された領域とのみ貼着し、他の紙や樹脂とは貼着しない。また、宛名ラベル部２３の粘着剤２６ｂが塗布された面は、返信用フラップ部２１の粘着剤２６ａが塗布された面及び後面片１２の粘着剤２６ａが塗布された領域とのみ貼着し、他の紙や樹脂とは貼着しない。このように、粘着剤２６ａ，２６ｂとしては、常温、常圧において自着性を有し他着性を有さないものが挙げられる。この粘着剤２６ａ，２６ｂの一例としては、リカボンドＡＰ−２１７（中央理化製）が挙げられる。
【００２３】
以下に、上記のように構成された往復封筒１の使用方法について説明する。
【００２４】
図２は、図１に示した往復封筒１の使用方法を説明するための図である。
【００２５】
図１に示した往復封筒１を使用する場合は、まず、図２（ａ）に示すように前面片１１及び後面片１２からなる封筒本体１０に、その開口部から封入物となる印刷物４０を封入し、図２（ｂ）に示すように往信用フラップ部２２から剥離紙２４を剥離する。
【００２６】
往信用フラップ部２２から剥離紙２４を剥離すると、図２（ｃ）に示すように、往信用フラップ部２２の一方の面にて粘着剤２７が表出する。そして、図２（ｄ）に示すようにフラップ部２０を折り部１３ｂにて折り畳み、往信用フラップ部２２に塗布された粘着剤２７によって往信用フラップ部２２を後面片１２に貼着し、往復封筒１を封緘する。この際、フラップ部２０が折り部１３ｂにて折り畳まれることにより後面片１２の宛名ラベル部２３に対向するようになった領域には、粘着剤２６ｂが塗布されているが、この粘着剤２６ｂは、上述したように粘着剤２６ａのみが貼着可能なものであるため、宛名ラベル部２３と後面片１２とが貼着されてしまうことはない。
【００２７】
このように封緘された往復封筒１は、後面片１２に表示された往信用宛先情報１５に従って、往信先に届けられる。この際、後面片１２の往信用宛先情報１５が表示された領域には粘着剤２６ａが塗布されているが、この粘着剤２６ａは、上述したように粘着剤２６ｂのみが貼着可能なものであるため、剥離紙等を貼着しておかなくても往復封筒１の配送途中において他の紙等が貼着してしまうことはない。
【００２８】
往復封筒１が往信先に届けられた後、図２（ｅ）に示すように、ティアテープ３０を持ち上げることによって返信用フラップ部２１と往信用フラップ部２２とを切り離す。すると、往信用フラップ部２２は粘着剤２７によって後面片１２に貼着されているものの、返信用フラップ部２１は、後面片１２に対向する面に宛名ラベル部２３が貼着されており、この宛名ラベル部２３と後面片１２とが上述したように貼着されていないため、図２（ｆ）に示すように、返信用フラップ部２１を開いて往復封筒１を開封することができる。
【００２９】
このようにして開封した往復封筒１から図２（ｇ）に示すように印刷物４０を取り出した後、この往復封筒１を返信する場合は、まず、図２（ｈ）に示すように、返信用フラップ部２１から宛名ラベル部２３を剥離する。ここで、返信用フラップ部２１と宛名ラベル部２３とは、返信用フラップ部２１と宛名ラベル部２３とにそれぞれ塗布された粘着剤２６ａ，２６ｂによって互いに貼着されているが、この粘着剤２６ａ，２６ｂは上述したように互いに剥離可能に貼着するものであるため、互いに貼着された返信用フラップ部２１と宛名ラベル部２３とを剥離することができる。
【００３０】
すると、図２（ｉ）に示すように、返信用フラップ部２１の一方の面にて粘着剤２６ａが表出する。そして、図２（ｊ）に示すようにフラップ部２０を折り部１３ｂにて折り畳む。フラップ部２０を折り部１３ｂにて折り畳むと、返信用フラップ部２１の粘着剤２６ａが塗布された面と、後面片１２の粘着剤２６ｂが塗布された領域とが対向する。これら粘着剤２６ａ，２６ｂは、上述したように手で押し付ける等といった通常の圧力で互いに貼着可能なものであるため、この粘着剤２６ａ，２６ｂによって返信用フラップ部２１を後面片１２に貼着することができ、往復封筒１を封緘する。
【００３１】
またこの際、返信用フラップ部２１から剥離した宛名ラベル部２３を、後面片１２の往信用宛先情報１５が表示された領域に、粘着剤２６ｂが塗布された面が対向するように重ね合わせる。すると、後面片１２の往信用宛先情報１５が表示された領域には、粘着剤２６ａが塗布されているため、宛名ラベル部２３に塗布された粘着剤２６ｂと後面片１２に塗布された粘着剤２６ａとが対向することになるが、これら粘着剤２６ａ，２６ｂは、上述したように手で押し付ける等といった通常の圧力で互いに貼着可能なものであるため、この粘着剤２６ａ，２６ｂによって宛名ラベル部２３を後面片１２の往信用宛先情報１５が表示された領域に貼着することができ、それにより、後面片１２に表示された往信用宛先情報１５が見えなくなる。
【００３２】
このように封緘された往復封筒１は、後面片１２に貼着された宛名ラベル部２３に表示された返信用宛先情報２５に従って、返信先に届けられる。
【００３３】
上述したように本形態においては、返信用フラップ部２１のフラップ部２０が折り部１３ｂにて折り畳まれた場合に後面片１２に対向する面と、後面片１２の往信用宛先情報１５が表示された領域とに粘着剤２６ａがそれぞれ塗布され、また、宛名ラベル部２３の一方の面と、後面片１２のフラップ部２０が折り部１３ｂにて折り畳まれた場合に返信用フラップ部２１に対向する領域とに粘着剤２６ｂがそれぞれ塗布されており、これら粘着剤２６ａ，２６ｂが、手で押し付ける等といった通常の圧力で互いにのみ貼着及び剥離可能なものであるため、返信時には、返信用フラップ部２１から宛名ラベル部２３を剥離し、後面片１２の往信用宛先情報１５が表示された領域に貼着するとともに、返信用フラップ部２１を後面片１２に貼着して往復封筒１を封緘することとなり、返信者の手間をかけることなく、かつ、ごみを生じさせずに返信することができる。
【００３４】
（第２の実施の形態）
図３は、本発明の封筒の第２の実施の形態を示す図であり、（ａ）は封用蓋片を閉じていない状態における一方の面を示す図、（ｂ）は（ａ）に示したＡ−Ａ’断面図、（ｃ）は（ａ）に示したＢ−Ｂ’断面図、（ｄ）は（ａ）に示した宛名ラベル部１２３及び剥離紙１２４を剥離した状態を示す図、（ｅ）は（ａ）に示した宛名ラベル部１２３の貼着面を示す図、（ｆ）は封用蓋片を閉じていない状態における他方の面を示す図である。
【００３５】
本形態は図３に示すように、第１の実施の形態に示したものに対して、後面片１１２と宛名ラベル部１２３と剥離紙１２４とが１枚のシートで構成され、ジッパー部１３１及びミシン目１３２を介して切り離し可能に連接している点のみが異なるものである。
【００３６】
上記のように構成された往復封筒１０１においては、後面片１１２と宛名ラベル部１２３と剥離紙１２４とが１枚のシートで構成されているため、往信用宛先情報１１５と返信用宛先情報１２５とを１工程にて印刷することができる。
【００３７】
以下に、上記のように構成された往復封筒１０１の使用方法について説明する。
【００３８】
図４は、図３に示した往復封筒１０１の使用方法を説明するための図である。
【００３９】
図３に示した往復封筒１０１を使用する場合は、まず、図４（ａ）に示すように、ジッパー部１３１を破断することにより後面片１１２と宛名ラベル部１２３とを切り離し、後面片１１２と宛名ラベル部１２３との間に、この往復封筒１０１に封入物を封入するための封入口を作製する。
【００４０】
そして、図４（ｂ）に示すように、前面片１１１及び後面片１１２からなる封筒本体１１０に、その封入口から封入物となる印刷物１４０を封入するとともに、往信用フラップ部１２２から剥離紙１２４を剥離する。
【００４１】
往信用フラップ部１２２から剥離紙１２４を剥離すると、図４（ｃ）に示すように、往信用フラップ部１２２の一方の面にて粘着剤１２７が表出する。そして、図４（ｄ）に示すようにフラップ部１２０を折り部１１３ｂにて折り畳み、往信用フラップ部１２２に塗布された粘着剤１２７によって往信用フラップ部１２２を後面片１１２に貼着し、往復封筒１０１を封緘する。この際、フラップ部１２０が折り部１１３ｂにて折り畳まれることにより後面片１１２の宛名ラベル部１２３に対向するようになった領域には、粘着剤１２６ｂが塗布されているが、この粘着剤１２６ｂは、第１の実施の形態にて示したものと同様に粘着剤１２６ａのみが貼着可能なものであるため、宛名ラベル部１２３と後面片１１２とが貼着されてしまうことはない。
【００４２】
このように封緘された往復封筒１０１は、後面片１１２に表示された往信用宛先情報１１５に従って、往信先に届けられる。この際、後面片１１２の往信用宛先情報１１５が表示された領域には粘着剤１２６ａが塗布されているが、この粘着剤１２６ａは、第１の実施の形態にて示したものと同様に粘着剤１２６ｂのみが貼着可能なものであるため、剥離紙等を貼着しておかなくても往復封筒１０１の配送途中において他の紙等が貼着してしまうことはない。
【００４３】
往復封筒１０１が往信先に届けられた後、図４（ｅ）に示すように、ティアテープ１３０を持ち上げることによって返信用フラップ部１２１と往信用フラップ部１２２とを切り離す。すると、往信用フラップ部１２２は粘着剤１２７によって後面片１１２に貼着されているものの、返信用フラップ部１２１は、後面片１１２に対向する面に宛名ラベル部１２３が貼着されており、この宛名ラベル部１２３と後面片１１２とが上述したように貼着されていないため、図４（ｆ）に示すように、返信用フラップ部１２１を開いて往復封筒１０１を開封することができる。
【００４４】
このようにして開封した往復封筒１０１から図４（ｇ）に示すように印刷物１４０を取り出した後、この往復封筒１０１を返信する場合は、まず、図４（ｈ）に示すように、返信用フラップ部１２１から宛名ラベル部１２３を剥離する。ここで、返信用フラップ部１２１と宛名ラベル部１２３とは、返信用フラップ部１２１と宛名ラベル部１２３とにそれぞれ塗布された粘着剤１２６ａ，１２６ｂによって互いに貼着されているが、この粘着剤１２６ａ，１２６ｂは第１の実施の形態にて示したものと同様に互いに剥離可能に貼着するものであるため、互いに貼着された返信用フラップ部１２１と宛名ラベル部１２３とを剥離することができる。
【００４５】
すると、図４（ｉ）に示すように、返信用フラップ部１２１の一方の面にて粘着剤１２６ａが表出する。そして、図４（ｊ）に示すようにフラップ部１２０を折り部１１３ｂにて折り畳む。フラップ部１２０を折り部１１３ｂにて折り畳むと、返信用フラップ部１２１の粘着剤１２６ａが塗布された面と、後面片１１２の粘着剤１２６ｂが塗布された領域とが対向する。これら粘着剤１２６ａ，１２６ｂは、第１の実施の形態にて示したものと同様に手で押し付ける等といった通常の圧力で互いに貼着可能なものであるため、この粘着剤１２６ａ，１２６ｂによって返信用フラップ部１２１を後面片１１２に貼着することができ、往復封筒１０１を封緘する。
【００４６】
またこの際、返信用フラップ部１２１から剥離した宛名ラベル部１２３を、後面片１１２の往信用宛先情報１１５が表示された領域に、粘着剤１２６ｂが塗布された面が対向するように重ね合わせる。すると、後面片１１２の往信用宛先情報１１５が表示された領域には、粘着剤１２６ａが塗布されているため、宛名ラベル部１２３に塗布された粘着剤１２６ｂと後面片１１２に塗布された粘着剤１２６ａとが対向することになるが、これら粘着剤１２６ａ，１２６ｂは、上述したように手で押し付ける等といった通常の圧力で互いに貼着可能なものであるため、この粘着剤１２６ａ，１２６ｂによって宛名ラベル部１２３を後面片１１２の往信用宛先情報１１５が表示された領域に貼着することができ、それにより、後面片１１２に表示された往信用宛先情報１１５が見えなくなる。
【００４７】
このように封緘された往復封筒１０１は、後面片１１２に貼着された宛名ラベル部１２３に表示された返信用宛先情報１２５に従って、返信先に届けられる。
【００４８】
上述したように本形態においては、返信用フラップ部１２１のフラップ部１２０が折り部１１３ｂにて折り畳まれた場合に後面片１１２に対向する面と、後面片１１２の往信用宛先情報１１５が表示された領域とに粘着剤１２６ａがそれぞれ塗布され、また、宛名ラベル部１２３の一方の面と、後面片１１２のフラップ部１２０が折り部１１３ｂにて折り畳まれた場合に返信用フラップ部１２１に対向する領域とに粘着剤１２６ｂがそれぞれ塗布されており、これら粘着剤１２６ａ，１２６ｂが、手で押し付ける等といった通常の圧力で互いにのみ貼着及び剥離可能なものであるため、返信時には、返信用フラップ部１２１から宛名ラベル部１２３を剥離し、後面片１１２の往信用宛先情報１１５が表示された領域に貼着するとともに、返信用フラップ部１２１を後面片１１２に貼着して往復封筒１０１を封緘することとなり、返信者の手間をかけることなく、かつ、ごみを生じさせずに返信することができる。
【００４９】
なお、本形態においては、後面片１１２と宛名ラベル部１２３とがジッパー部１３１を介して切り離し可能に連接し、また、宛名ラベル部１２３と剥離紙１２４とがミシン目１３２を介して切り離し可能に連接しているが、後面片１１２と宛名ラベル部１２３とがミシン目を介して切り離し可能に連接し、また、宛名ラベル部１２３と剥離紙１２４とがジッパー部を介して切り離し可能に連接した構成とすることも考えられる。さらには、これら後面片１１２と宛名ラベル部１２３と剥離紙１２４とがティアテープを介して切り離し可能に連接した構成としてもよい。
【００５０】
また、上述した２つの実施の形態においては、返信用フラップ部２１，１２１と往信用フラップ部２２，１２２とがティアテープ３０，１３０によって切り離し可能となっているが、返信用フラップ部２１，１２１と往信用フラップ部２２，１２２とを切り離し可能とするものは、ミシン目やジッパー部であってもよい。
【００５１】
また、上述した２つの実施の形態においては、往信用フラップ部２２，１２２に粘着剤２７，１２７が塗布され、この粘着剤２７，１２７が塗布された面に剥離紙２４，１２４が剥離可能に貼着されているが、往信用フラップ部２２，１２２の粘着剤２７，１２７が塗布された面に、再湿糊を塗布しておく構成としてもよい。
【００５２】
また、上述した２つの実施の形態においては、往復封筒１，１０１の往信先の住所や氏名等からなる往信用宛先情報１５，１１５が後面片１２，１１２に表示され、後面片１２，１１２の往信用宛先情報１５，１１５が表示された領域に、粘着剤２６ａ，１２６ａが塗布されることにより第１の貼着層が積層されているが、往信用宛先情報１５，１１５を返信用フラップ部２１，１２１または往信用フラップ部２２，１２２に表示し、返信用フラップ部２１，１２１または往信用フラップ部２２，１２２の往信用宛先情報１５，１１５が表示された領域に、粘着剤２６ａ，１２６ａを塗布することにより第１の貼着層を積層することも考えられる。
【００５３】
また、上述した２つの実施の形態においては、宛名ラベル部２３，１２３に設けられた第２の宛先情報表示部に返信用宛先情報２５，１２５が表示されているが、返信用宛先情報２５，１２５は、往信時に宛名ラベル部２３，１２３に表示されておらず、返信時に往信先にて記入する構成とすることも考えられる。このような構成とすることにより、本発明の封筒を、上述した２つの実施の形態に示したような往信時のみならず返信時にも使用可能な往復封筒１，１０１に限らず、一度使用した後に宛名ラベル部２３，１２３に所望の宛先情報を記入し、リサイクル封筒として使用することができるようになる。すなわち、本発明は、上述した２つの実施の形態に示した往復封筒１，１０１に限らず、複数回使用可能なリサイクル封筒としても適用することができる。
【００５４】
また、上述した２つの実施の形態においては、前面片１１，１１１と後面片１２，１１２とが、互いに対向するように折り部１３ａ，１１３ａにて折り畳まれて折り部１３ａ，１１３ａに隣接する２辺が互いに接着された構成を例に挙げて説明したが、前面片１１，１１１と後面片１２，１１２とが、それぞれ単片状のものからなり、その３辺が互いに接着された構成であってもよい。
【００５５】
また、上述した２つの実施の形態においては、粘着剤２６ａ，２６ｂ及び粘着剤１２６ａ，１２６ｂをそれぞれ、自己粘着性を有する高分子ポリマー等の同一の材料からなるものとしたが、互いにのみ貼着及び剥離可能であり、かつ、他の紙や樹脂等に貼着しないものであれば、同一材料のものでなくてもよい。例えば、溶剤の配合が互いに異なるものや他の混合物が混入しているもの等の類似な材料からなるものであってもよい。また、水とは混合しないポリマー粒子が、親水性と親油性を有する乳化剤が介在することにより安定的に共存したエマルジョンタイプのものであることが好ましい。
【符号の説明】
【００５６】
１，１０１    往復封筒
１０，１１０    封筒本体
１１，１１１    前面片
１２，１１２    後面片
１３ａ，１３ｂ，１１３ａ，１１３ｂ    折り部
１５，１１５    往信用宛先情報
２０，１２０    フラップ部
２１，１２１    返信用フラップ部
２２，１２２    往信用フラップ部
２３，１２３    宛名ラベル部
２４，１２４    剥離紙
２５，１２５    返信用宛先情報
２６ａ，２６ｂ，２７，１２６ａ，１２６ｂ，１２７    粘着剤
２８，１２８    剥離剤
３０，１３０    ティアテープ
４０，１４０    印刷物
【図１】
2010168054.tif 000003
【図２】
2010168054.tif 000004
【図３】
2010168054.tif 000005
【図４】
2010168054.tif 000006